(57)【要約】【課題】  各種設定の切替を可能にして運用の自由度を高めると共に、操作性を向上させることを可能とする画像出力装置等を提供する。【解決手段】  端末装置１０２は、設定データ４００を作成し、当該設定データ４００を画像出力装置１０１に入力する。設定データ４００は、例えば、ＥＸＩＦ情報の利用、一括ボタンの操作指示の対象、税率、課税方式、税金額表示等である。画像出力装置１０１は、設定データに基づいて初期設定、動作設定、機器設定等の設定を行ったり、あるいは、設定データを利用可能な形式に変換してハードディスク装置等に保持し、設定済の設定、あるいは、保持した設定データに基づいて、各種処理を実行する。【選択図】  図１
2005100147.tif 000002
【特許請求の範囲】
【請求項１】
画像データを入力する入力手段と、
前記画像データを印刷出力する出力手段と、
前記画像データが有する属性情報の利用の有無についての設定を行う設定手段と、
を具備することを特徴とする画像出力装置。
【請求項２】
前記属性情報を利用する設定の場合、当該属性情報が有する日時情報に基づいて前記画像データの並び順を決定し、前記属性情報を利用しない設定の場合、前記画像データの作成日時あるいは更新日時に基づいて前記画像データの並び順を決定することを特徴とする請求項１に記載の画像出力装置。
【請求項３】
画像データを入力する入力手段と、
前記画像データを印刷出力する出力手段と、
一括指示の対象についての設定を行う設定手段と、
を具備することを特徴とする画像出力装置。
【請求項４】
前記一括指示の対象は、表示されている画像データのみ、あるいは、全ての画像データであることを特徴とする請求項３に記載の画像出力装置。
【請求項５】
画像データを入力する入力手段と、
前記画像データを印刷出力する出力手段と、
課金表示についての設定を行う設定手段と、
を具備することを特徴とする画像出力装置。
【請求項６】
前記課金表示についての設定は、税率、課税方式、税金額表示の有無のうち少なくともいずれかを含むことを特徴とする請求項５に記載の画像出力装置。
【請求項７】
画像データを入力する入力手段と、
前記画像データを印刷出力する出力手段と、
前記画像データを加工する加工手段と、
前記画像データの回転処理の原点、反転処理の原点、拡大処理の原点、縮小処理の原点のうち少なくともいずれかを設定する原点設定手段と、
を具備することを特徴とする画像出力装置。
【請求項８】
画像データを入力する入力手段と、
前記画像データを印刷出力する出力手段と、
前記画像データを加工する加工手段と、
を具備し、
印刷出力領域内に少なくとも前記画像データの一部が存在している範囲内で前記画像データを移動可能であることを特徴とする画像出力装置。
【請求項９】
画像データを入力する入力手段と、
前記画像データを印刷出力する出力手段と、
前記画像データを加工する加工手段と、
前記画像データの全体が印刷出力領域をはみ出た場合、前記印刷出力領域内に少なくとも前記画像データの一部が存在する位置まで前記画像データを移動する移動手段と、
を具備することを特徴とする画像出力装置。
【請求項１０】
コンピュータを請求項１から請求項９までのいずれかに記載の画像出力装置として機能させるプログラム。
【請求項１１】
コンピュータを請求項１から請求項９までのいずれかに記載の画像出力装置として機能させるプログラムを記録した記録媒体。
【請求項１２】
入力された画像データを印刷出力する画像出力装置が実行する画像移動方法であって、
前記画像データを加工する加工工程と、
前記画像データの全体が印刷出力領域をはみ出た場合、前記印刷出力領域内に少なくとも前記画像データの一部が存在する位置まで前記画像データを移動する移動工程と、
を具備することを特徴とする画像移動方法。
【発明の詳細な説明】
【技術分野】
【０００１】
本発明は、デジタルカメラで撮影した画像、スキャナで読込んだ画像、持参した記録媒体に記録されている画像データ、装置に予め保存してある画像等を合成、編集してプリントできる画像出力装置等に関する。
【背景技術】
【０００２】
近年、画像出力装置（デジタルフォトプリント装置等）が街頭端末（ＫＩＯＳＫ端末）として店舗内や街頭に設置され、利用されている。この画像出力装置は、デジタルカメラ等で撮像した画像、記録媒体に記録されている画像データ等を読み込んで、画像編集、画像合成、プリント出力等を行う（例えば、［特許文献１］、［非特許文献１］参照。）。
【０００３】
画像出力装置は、駅前の証明写真撮影コーナー、ゲームセンター等のアミューズメント施設等に設置され、利用者は、自分のデジタルカメラで撮影した画像データを記録した記録媒体を持参して画像出力装置に読み取らせ、あるいは、その場で撮影を行い、必要に応じて画像編集処理等を行い、出力サイズ、出力枚数等を指定して高精細なカラープリントを出力し、そのまま持ち帰ることができる。
【０００４】
また、画像出力装置における画像の表示、画像の選択等に関しては、画像が保存された記録媒体がメディアリーダに差し込まれると、画像出力装置は複数のサムネイル画像等による画像一覧を表示するのが一般的であり、利用者は、この画像一覧から印刷出力する画像を選択する。
【０００５】
【特許文献１】特開２００２−４６３２４号公報
【非特許文献１】大日本印刷株式会社、"デジカメプリントのすすめ"、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【発明の開示】
【発明が解決しようとする課題】
【０００６】
しかしながら、上記のように従来の画像出力装置は、多種多様な処理を行うことが可能であるが、その反面、設定の変更が困難であり、利用者（ユーザ、オペレータ等）は、操作をする上で不快感、不自由感を禁じ得ないという問題点がある。
【０００７】
また、利用者は、画像データに編集処理、合成処理等を施して加工を行う場合、画像データの拡大、縮小、移動、回転、反転等の操作を行うが、従来の画像出力装置では、これらの操作に関して操作性が悪いという問題点がある。例えば、（１）印刷出力領域を示す所定の枠から画像全体がはみ出しても画像の移動が可能であったり、画像の半分程度までしか移動できない、（２）回転、反転、拡大、縮小等の原点が固定されている、（３）回転、反転、縮小した結果、画像全体が上記枠外に外れてもそのままの位置に留まっている、等の問題点がある。
【０００８】
本発明は、以上の問題点に鑑みてなされたものであり、各種設定の切替を可能にして運用の自由度を高めると共に、操作性を向上させることを可能とする画像出力装置等を提供することを目的とする。
【課題を解決するための手段】
【０００９】
前述した目的を達成するために第１の発明は、画像データを入力する入力手段と、前記画像データを印刷出力する出力手段と、前記画像データが有する属性情報の利用の有無についての設定を行う設定手段と、を具備することを特徴とする画像出力装置である。
【００１０】
第１の発明の画像出力装置は、画像データが有する属性情報の利用の有無について設定を行い、当該設定に基づいて、画像データの表示、印刷出力等を行う。
また、前記属性情報を利用する設定の場合、当該属性情報が有する日時情報に基づいて前記画像データの並び順を決定し、前記属性情報を利用しない設定の場合、前記画像データの作成日時あるいは更新日時に基づいて前記画像データの並び順を決定するようにしてもよい。
尚、属性情報は、画像データの画像フォーマット形式がＥＸＩＦ（Ｅｘｃｈａｎｇｅａｂｌｅ  Ｉｍａｇｅ  Ｆｉｌｅ  Ｆｏｒｍａｔ）形式である場合、ＥＸＩＦ情報を用いることができる。
【００１１】
第２の発明は、画像データを入力する入力手段と、前記画像データを印刷出力する出力手段と、一括指示の対象についての設定を行う設定手段と、を具備することを特徴とする画像出力装置である。
【００１２】
第２の発明の画像出力装置は、一括指示の対象について設定を行い、当該設定に基づいて、画像データの印刷出力等を行う。
また、一括指示は、印刷枚数の増減・クリアに関するものである場合、前記一括指示の対象は、表示されている画像データのみ、あるいは、全ての画像データとして、これらに一括指示を反映させるようにしてもよい。
【００１３】
第３の発明は、画像データを入力する入力手段と、前記画像データを印刷出力する出力手段と、課金表示についての設定を行う設定手段と、を具備することを特徴とする画像出力装置である。
【００１４】
第３の発明の画像出力装置は、課金表示について設定を行い、当該設定に基づいて、画像データの印刷出力等を行う。
また、前記課金表示についての設定は、税率、課税方式、税金額表示の有無のうち少なくともいずれかを含むようにしてもよい。
【００１５】
第１の発明から第３の発明の画像出力装置は、管理者、設置者、運用者、利用者等の希望、システム環境等に応じて、属性情報の利用・不利用の設定、一括ボタンの操作指示の対象の設定、税金表示、税金計算等の設定を行うことができるので、画像出力装置の運用の自由度を高めると共に操作性を向上させることができる。
【００１６】
第４の発明は、画像データを入力する入力手段と、前記画像データを印刷出力する出力手段と、前記画像データを加工する加工手段と、前記画像データの回転処理の原点、反転処理の原点、拡大処理の原点、縮小処理の原点のうち少なくともいずれかを設定する原点設定手段と、を具備することを特徴とする画像出力装置である。
【００１７】
第４の発明の画像出力装置は、画像データの加工処理において、画像の回転処理、反転処理、拡大処理、縮小処理等の原点を設定する（例えば、画像中心、画像辺、画像頂点等）。
【００１８】
第５の発明は、画像データを入力する入力手段と、前記画像データを印刷出力する出力手段と、前記画像データを加工する加工手段と、を具備し、印刷出力領域内に少なくとも前記画像データの一部が存在している範囲内で前記画像データを移動可能であることを特徴とする画像出力装置である。
【００１９】
第５の発明の画像出力装置は、画像データの加工処理において、印刷出力領域と画像領域とが外接するぎりぎりの位置まで画像移動可能とする。
【００２０】
第６の発明は、画像データを入力する入力手段と、前記画像データを印刷出力する出力手段と、前記画像データを加工する加工手段と、前記画像データの全体が印刷出力領域をはみ出た場合、前記印刷出力領域内に少なくとも前記画像データの一部が存在する位置まで前記画像データを移動する移動手段と、を具備することを特徴とする画像出力装置である。
【００２１】
第６の発明の画像出力装置は、画像データの加工処理（縮小、回転、反転等）の結果、画像全体が印刷出力領域をはみ出た場合、印刷出力領域と画像領域とが外接するぎりぎりの位置まで画像データを移動する。
【００２２】
第４の発明から第６の発明の画像出力装置は、移動の際に画像が枠（印刷出力領域等）からはみ出ても縁ぎりぎりまで移動することができ、回転・反転の中心を設定可能であり（例えば、画像中心、左上、各辺、任意の点）、拡大・縮小の原点を設定可能であり（例えば、画像中心、左上、各辺、任意の点）、回転・反転・縮小等の結果、枠から画像全体がはみ出る場合、画像を枠位置まで自動的に移動させることができるので、画像編集処理、合成処理、加工処理における、画像操作画面の操作性を向上させることができる。
【００２３】
第７の発明は、コンピュータを第１の発明から第６の発明のいずれかの画像出力装置として機能させるプログラムである。
第８の発明は、コンピュータを第１の発明から第６の発明のいずれかの画像出力装置として機能させるプログラムを記録した記録媒体である。
上述のプログラムをＣＤ−ＲＯＭ等の記録媒体に保持させて流通させてもよいし、このプログラムを通信回線を介して送受することもできる。
【００２４】
第９の発明は、入力された画像データを印刷出力する画像出力装置が実行する画像移動方法であって、前記画像データを加工する加工工程と、前記画像データの全体が印刷出力領域をはみ出た場合、前記印刷出力領域内に少なくとも前記画像データの一部が存在する位置まで前記画像データを移動する移動工程と、を具備することを特徴とする画像移動方法である。
第９の発明は、第６の発明の画像出力装置が実行する画像移動方法に関する発明である。
【発明の効果】
【００２５】
本発明によれば、各種設定の切替を可能にして運用の自由度を高めると共に、操作性を向上させることを可能とする画像出力装置等を提供することができる。
【発明を実施するための最良の形態】
【００２６】
以下、添付図面を参照しながら、本発明に係る画像出力装置等の好適な実施形態について詳細に説明する。なお、以下の説明及び添付図面において、略同一の機能構成を有する構成要素については、同一の符号を付することにより重複説明を省略することにする。
【００２７】
最初に、図１を参照しながら、本発明の実施の形態に係る画像プリントシステム１００（画像出力装置１０１）の構成について説明する。
図１は、画像出力装置プリントシステム１００（画像出力装置１０１）の構成を示すブロック図である。
【００２８】
画像プリントシステム１００は、画像出力装置１０１、端末装置１０２等により構成される。端末装置１０２で作成された設定データ４００（後述する）は、記録媒体１０３、あるいは、ネットワーク（接続線）１０４等を介して、画像出力装置１０１に入力される。また、設定データ４００は、画像出力装置１０１に備えられたキーボード、マウス等の入力装置１０５により直接画像出力装置１０１に入力することもできる。
【００２９】
画像出力装置１０１は、画像データ読込書込手段１１１、画像編集合成手段１１２、素材データベース１１３、プリント手段１１４、注文内容入力手段１１５、課金手段１１６、設定手段１１７等を備える。
【００３０】
画像データ読込書込手段１１１は、被写体１２１（利用者）をデジタルカメラ等の撮像装置により撮像したり、原稿１２２をスキャナ装置等の原稿読取装置により読み取ったり、予め画像データが記録された記録媒体１２３（メディア）から読み取ることにより、画像データを取得する。また、画像データ読込書込手段１１１は、画像出力装置１０１が作成した画像データを記録媒体１２３に記録することもできる。
記録媒体１２３は、例えば、スマートメディア、コンパクトフラッシュ（登録商標）カード（ＣＦカード）、フロッピー（登録商標）ディスク、ＰＣカード、光ディスク（ＣＤ−ＲＯＭ等）等である。
【００３１】
画像編集合成手段１１２は、１つ以上の入力または選択した画像データに対して、落書き、スタンプのような加工、画像データの切抜き、変倍、切抜いた画像の他の画像への貼付け等、合成、編集等を対話的に行う対話型インタフェース手段と画像処理プログラムで構成される。加工や合成、編集に扱う画像データとしては、素材データベース１１３に存在する素材画像データ、フレーム画像データ等を用いることもできる。
【００３２】
プリント手段１１４は、高解像度カラープリンタである。昇華型あるいはインクジェット型などの方式は問わない。プリント物１２４は、プリント出力された撮像による証明写真、デジタルカメラ画像等による写真、シールプリント、葉書等である。
【００３３】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定等がある。尚、利用者は、画像を出力する前に、１つ以上の画像データを指定して加工および合成、編集することができる。
【００３４】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００３５】
設定手段１１７は、画像出力装置１０１の初期設定、動作設定、機器設定等の設定を行う。尚、設定は、設定データ４００に基づいて行われる。
【００３６】
端末装置１０２は、コンピュータ等であり、設定データファイルを作成する。端末装置１０２は、例えば、テキストエディタ等の編集プログラムを実行することにより、あるいは、当該設定データの作成を支援する支援プログラムを実行することにより、設定データファイルを作成する。
記録媒体１０３は、設定データを記録可能な媒体であり、例えば、フロッピー（登録商標）ディスク、ＣＤ−ＲＯＭ等である。
【００３７】
ネットワーク（接続線）１０４は、ＬＡＮ（ローカルエリアネットワーク）、専用回線、インターネット等のネットワーク、ケーブル、バス等の接続線等であり、有線、無線を問わない。ネットワーク（接続線）１０４は、端末装置１０２及び画像出力装置１０１間のデータの授受を媒介する。
また、入力装置１０５は、キーボード、マウス等の入力装置であり、設定データ４００を直接画像出力装置１０１に入力する。
【００３８】
次に、図２を参照しながら、画像出力装置１０１の外観構成について説明する。
図２は、画像出力装置１０１の外観斜視図である。
【００３９】
画像出力装置１０１（本体）の上段部正面には、タッチパネル付きモニタ等であるモニタ画面２０１が配置されている。モニタ画面２０１は、操作の案内や、操作の状況や、読み取った画像あるいは編集加工した画像等を表示する表示手段としての機能を発揮する。
【００４０】
モニタ画面２０１の画面の横には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体（利用者等）を撮像するためのレンズ窓２０４が設置される。
これらのメディア挿入口２０２、スキャナ面２０３、窓２０４は、画像データ読込書込手段１１１の一部を構成する。
【００４１】
メディア挿入口２０２は、各種メディア（スマートメディア、コンパクトフラッシュ（登録商標）カード（ＣＦカード）、フロッピー（登録商標）ディスク、ＰＣカード、光ディスク（ＣＤ−ＲＯＭ等）等）の受付部であり、フロッピ（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。また、画像出力装置１０１の本体内には上記各記録メディアの種類に対応して、それぞれの読取装置（メディアリーダ）の本体（図示しない。）が設置されている。
【００４２】
また、各挿入口には、開閉カバー（シャッタ）を備えても良い。この場合、開閉扉の開閉を制御することにより、処理中に記録メディアを取り出せないようにしたり、課金処理、手数料の徴収が完了するまで記録メディアを取り出せないようにすることができる。
【００４３】
画像出力装置１０１の下段部には、プリント物取出口２０５、スピーカ２０６等が設置され、この他、料金投入口（硬貨投入口、紙幣挿入口）、返却レバー、返却口、レシート取出口、メインテナンスキー、ドア開閉キー等が配置される。
【００４４】
プリント物取出口２０５は、プリント手段１１４の一部を構成する。利用者は、タッチパネルボタンに触れるなどしてプリント実行を指示した後、プリント物取出口２０５から放出されるプリント物を受け取る。
スピーカ２０６は、操作中あるいは待機中に、警告音、確認音、操作案内メッセージ、音声、ＢＧＭ、効果音等を再生する。
【００４５】
また、画像出力装置１０１の本体内には、図示しないが、各構成部分を制御するための制御部を含むパーソナルコンピュータや、電圧の変換を行う電源ボックス、停電時に制御部のＣＰＵやハードディスク等の破損を防ぐ無停電電源装置等が設置される。
【００４６】
次に、図３を参照しながら、画像出力装置１０１のハードウェア構成について説明する。
図３は、画像出力装置１０１のハードウェア構成図である。
【００４７】
画像出力装置１０１は、制御部３０１、記憶部３０２、入出力部３０３、デジタルカメラ３０４、スキャナ３０５、各種メディア読取書込部３０６（１〜ｎ）、モニタ３０７（タッチパネル付き）、コインメック３０８、ビルバリ３０９、レシートジャーナル処理部３１０、プリンタ３１１、通信制御部３１２等が、システムバス３１３を介して接続される。
【００４８】
制御部３０１は、ＣＰＵ、ＲＯＭ、ＲＡＭ等で構成され、大容量記憶媒体としてのハードディスク等である記憶部３０２に格納されたプログラムに従って、システムバス３１３を介して接続された各装置を駆動制御する。
【００４９】
記憶部３０２には、各構成部分を駆動制御するプログラム、例えば各記録メディアに対応する読取書込プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０７に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３、各種設定データ等が格納されている。
【００５０】
尚、これらの各プログラムコードは、制御部３０１により必要に応じて読み出されてＲＡＭに移され、ＣＰＵに読み出されて各種の手段として実行される。
また、制御部３０１のメモリあるいは記憶部３０２は、処理に必要なデータ、画像データ等の情報を一時的に保持することもできる。
【００５１】
入出力部３０３（ＣＤ−ＲＯＭドライブ装置、キーボード、マウス等）は、制御部３０１のＲＯＭや記憶部３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００５２】
デジタルカメラ３０４、スキャナ３０５、各種メディア読取書込部３０６（１〜ｎ）は、画像データの取得、入力を行う。これらは、画像データ読込書込手段１１１に相当する。
【００５３】
モニタ３０７に表示された操作案内に従って、同モニタ３０７に表示されたタッチパネルボタンを選択し触れることにより、プリントモードの選択およびオリジナル画像データの読み込みから、加工、合成、編集、プリント物の出力までの一連の操作を行うことができる。モニタ３０７は、上記表示手段に相当する。
【００５４】
コインメック３０８、ビルバリ３０９、レシートジャーナル処理部３１０は、課金手段１１６に相当し、硬貨投入、紙幣挿入を受け付けたり、レシートの発行を行う。
プリンタ３１１は、プリント手段１１４に相当し、画像の印刷出力処理を行う。
【００５５】
通信制御部３１２は、通信制御装置、通信ポート等であり、画像出力装置１０１及び端末装置１０２間の通信制御を行う。
システムバス３１３は、各部、各装置間の制御信号、データ信号等の授受を媒介する経路である。
【００５６】
次に、図４を参照しながら、設定データについて説明する。
図４は、設定データ４００の一態様を示す図である。
【００５７】
設定データ４００は、画像プリントシステム１００、画像出力装置１０１が実行する処理（装置制御、画像処理、印刷出力処理等）の動作設定、機器設定等についての情報を示す。
【００５８】
設定データ４００は、これらの情報をテキスト形式等により記録する。画像出力装置１０１は、設定データ４００が入力されると、当該設定データに基づいて初期設定を行ったり、当該設定データをハードディスク装置等に保持し、各種処理を実行する際に設定値、パラメータ等として参照したりする。
【００５９】
図４に示す設定データ４００は、設定項目４０１、設定内容４０２（設定変数、設定値等）等の各フィールドを有する。
設定項目４０１は、初期設定、動作設定、機器設定等の設定事項を示し、設定内容４０２は、設定項目についての設定内容を示し、設定変数、設定値等を保持する。
【００６０】
設定項目４０１は、例えば、項目４１１「ＥＸＩＦ情報の利用」、項目４１２「一括ボタンの操作指示の対象」、項目４１３「税率」、項目４１４「課税方式」、項目４１５「税金額表示」等である。
【００６１】
項目４１１「ＥＸＩＦ情報の利用」は、画像データが有するＥＸＩＦ情報（日付情報等）を利用するか否かを示し、例えば、「利用する」「利用しない」等が設定内容として保持される。
項目４１２「一括ボタンの操作指示の対象」は、一括ボタンにより印刷枚数の増減・初期化が指示された場合、表示画面内の画像データのみに関して印刷枚数の増減・初期化の指示を反映させるのか、表示画面内の画像データのみならず記録媒体中の全ての画像データについて印刷枚数の印刷枚数の増減・初期化の指示を反映させるのかを示し、例えば、「表示画像のみ」「全画像」等が設定内容として保持される。
尚、一括ボタンは、「全て＋」ボタン（印刷枚数の増加）、「全て−」ボタン（印刷枚数の減少）、「全て０」ボタン（印刷枚数の初期化）等である。
【００６２】
項目４１３「税率」は、消費税等の税率を示し、例えば、「５％」等が設定内容として保持される。
項目４１４「課税方式」は、税金の課税方式を示し、例えば、「内税」「外税」等が設定内容として保持される。
項目４１５「税金額表示」は、税金額の画面表示を行うか否かを示し、例えば、「画面表示する」「画面表示しない」等が設定内容として設定される。
【００６３】
尚、設定内容４０２については、設定値として標準的な値を示すデフォルト値を用意しておいてもよい。
また、設定データの全部、あるいは、その一部を別データ（別ファイル）等に記録し、設定データ４００には、当該データ（ファイル）等の参照先を記述するようにしてもよい。
【００６４】
次に、図５及び図６を参照しながら、画像プリントシステム１００の動作について説明する。
図５は、設定処理に係る画像出力装置１０１、端末装置１０２の動作を示すフローチャートである。
【００６５】
端末装置１０２は、設定データを作成し（ステップ５０１）、当該設定データを画像出力装置１０１に入力、提供する（ステップ５０２）。
画像出力装置１０１は、設定データに基づいて設定を行ったり、あるいは、設定データを各種処理の実行時に利用可能、参照可能な形式に変換してハードディスク装置等に保持する（ステップ５０３）。画像出力装置１０１は、設定した動作設定、機器設定、あるいは、保持した設定データに基づいて、各種処理を実行する（ステップ５０４）。
【００６６】
図６は、上記のステップ５０４（各種処理）に係る画像出力装置１０１の動作を示すフローチャートである。
【００６７】
画像出力装置１０１（制御部３０１）は、サービスの内容、手順、案内等を示すメニュー画面を表示し、利用者に選択させる。（ステップ６０１）。
画像出力装置１０１は、画像データを取得し、モニタ上へ表示する（ステップ６０２）。尚、利用者は、画像データの入力に際し、記録メディアからの読み取り、スキャナからの読み取り、撮像装置（デジタルカメラ等）による被写体の撮像等の方法を選択することができる。
【００６８】
画像出力装置１０１は、利用者の指示に基づいて、画像データの加工、編集、合成等を行う（ステップ６０３）。画像の加工、編集、合成は、例えば、入力画像データ同士、フレーム画像、既存画像等の合成、塗色、文字入力、移動、拡大・縮小、はがきデータ作成等である。
【００６９】
画像出力装置１０１は、利用者の注文内容（出力形態（写真プリント、シールプリント、インデックスプリント、はがきプリント等）、プリント枚数等）に応じて、課金処理、レシート発行処理を行う（ステップ６０４）。
【００７０】
画像出力装置１０１は、色修正、リサイズ、トリミング、レイアウト、文字・ロゴ合成等の画像処理を行い（ステップ６０５）、画像処理した画像データをメモリ、ハードディスク装置等に保持し、出力可能状態となったプリンタ装置に当該画像データを転送し、印刷出力処理を行う（ステップ６０６）。
画像プリントシステム１００の稼働を続ける場合（ステップ６０７のＮｏ）、画像出力装置１０１は、ステップ６０１〜ステップ６０７までの処理を繰り返す。
【００７１】
画像出力装置１０１は、ステップ６０１〜ステップ６０７等の処理を行う際、設定済の設定あるいは保持した設定データ（ステップ５０３：図５）を参照して処理を実行する（ステップ６００）。
【００７２】
以上の過程を経て、画像出力装置１０１は、入力された設定データに基づいて、初期設定、動作設定、機器設定等の設定を行い、あるいは、利用可能な形式に変換して保持し、当該設定を参照して各種処理を実行する。
【００７３】
このように、初期設定、動作設定、機器設定等の設定に関する情報を１のテキストファイル等にまとめて記述することにより設定データを作成し、当該設定データを画像出力装置に入力することにより、設定対象が多岐に渡る場合であっても、統一的なフォーマット、手順、方法により一括して設定を行うことができ、初期設定、動作設定、機器設定等の設定に係る労力的負担を著しく軽減することができる。
【００７４】
尚、端末装置１０２において作成された設定データは、記録媒体を介してあるいはネットワーク、ケーブル等の接続線を介して、当該設定データを画像出力装置１０１に入力するようにしてもよい。また、設定データを端末装置１０２において作成することに替えて、画像出力装置１０１が備えるキーボード、マウス等の入力装置に直接設定データを入力することも可能である。
【００７５】
尚、設定データ４００は、テキストファイル形式等により記録されるとしたが、これに限られず、画像出力装置１０１が認識可能であれば、その形式、形態は問わない。また、単にテキスト入力により設定データ４００を作成するだけでなく、設定データ４００の作成を支援するプログラム等を利用して、当該プログラムにより提供されるインタフェースにより、設定データ４００を作成するようにしてもよい。この支援プログラムは、画像出力装置１０１、端末装置１０２のいずれに対しても導入可能である。
【００７６】
また、図６において、画像出力装置は、設定済の設定あるいは保持した設定データを参照して、処理を実行するものとして説明したが、設定データに基づく設定の際（ステップ５０３：図５）、画像出力装置の動作を特定する処理プログラム中に当該設定を直接組み込むようにしてもよい。この場合、画像出力装置１０１は、当該処理プログラムを実行すると、自動的に組み込まれた設定に基づいて処理を実行することができる。
【００７７】
また、画像出力装置は、各手段（図１等）及び各装置（図３等）を一体として構成してもよいし、その一部を分離して、接続線（ケーブル等、有線無線を問わない。）、ネットワーク（専用線、ＬＡＮ、インターネット等、有線無線を問わない。）等により接続するようにしてもよい。
【００７８】
次に、図７を参照しながら、設定項目４１１「ＥＸＩＦ情報の利用」に係る、画像出力装置１０１の動作について説明する。
図７は、設定項目４１１「ＥＸＩＦ情報の利用」に係る、画像出力装置１０１の処理の流れを示す図である。
【００７９】
画像データ７０１は、ＥＸＩＦ（Ｅｘｃｈａｎｇｅａｂｌｅ  Ｉｍａｇｅ  Ｆｉｌｅ  Ｆｏｒｍａｔ）形式の画像フォーマットによる画像データファイルである。
画像データ７０１は、それぞれ、ＯＳ（オペレーションシステム）が認識可能なファイル情報７０２及び所定のアプリケーションにより認識可能なＥＸＩＦデータ７０３等から構成される。
【００８０】
ファイル情報７０２は、ファイル名、ファイル作成日、ファイル更新日、ファイル容量等を有する。
ＥＸＩＦデータ７０３は、ＥＸＩＦ実画像データ、ＥＸＩＦ縮小画像データ（ＥＸＩＦサムネイル画像）、ＥＸＩＦ情報７０５等を有する。
ＥＸＩＦ情報７０５は、日付情報、メーカ情報、撮影条件情報（シャッタスピード、絞り値、ストロボ発光の有無等）等を有する。
【００８１】
画像出力装置１０１は、設定（設定済の設定、設定データの参照等）に基づいてＥＸＩＦ情報を利用する場合、ＥＸＩＦ情報７０５の日付情報７０６を参照して画像データの並び順７０８（日付順（古い順あるいは新しい順））を決定し、画面７０７に一覧表示を行う（Ｓ７１）。
画像出力装置１０１は、設定（設定済の設定、設定データの参照等）に基づいてＥＸＩＦ情報を利用しない場合、ファイル情報７０２のファイル作成日あるいはファイル更新日７０４を参照して画像データの並び順７０８（日付順（古い順あるいは新しい順））を決定し、画面７０７に一覧表示を行う（Ｓ７２）。
【００８２】
画像出力装置１０１は、ＥＸＩＦ情報を利用する場合、日付情報のみならず、その他の情報を併せて読み込むので、画像データに関する情報を詳細に取得することができる。
一方、画像出力装置１０１は、ＥＸＩＦ情報を利用しない場合、ファイル作成日あるいはファイル更新日のみを読み込むことができるので、日付順の画像データ一覧表示を迅速に行うことができる。
【００８３】
このように、画像出力装置１０１は、管理者、設置者、運用者、利用者等の希望、システム環境等に応じて、ＥＸＩＦ情報の利用・不利用の設定を行うことができるので、画像出力装置１０１の運用の自由度を高めると共に操作性を向上させることができる。
【００８４】
次に、図８を参照しながら、設定項目４１２「一括ボタンの操作指示の対象」に係る、画像出力装置１０１の動作について説明する。
図８は、設定項目４１２「一括ボタンの操作指示の対象」に係る、画像出力装置１０１の処理の流れを示す図である。
【００８５】
画像出力装置１０１は、記録媒体８０２が保持する全画像データ８０３の中から画面表示を行う表示画像データ８０４を抽出し、画面８０１に表示する（Ｓ８１）。
利用者は、一覧画面８０１に表示される個々の画像毎に、プリント枚数８０５を指定して印刷出力を行うことができる。
【００８６】
画像出力装置１０１は、設定（設定済の設定、設定データの参照等）に基づいて、一括ボタン８０６（「全て＋（全て増やす）」）、一括ボタン８０７「全て−（全て減らす）」、一括ボタン８０８「全て０（全てクリア）」の操作指示の対象を表示画像データのみとする場合、表示画像データ８０４のみに対して一括ボタン８０６〜一括ボタン８０８による印刷枚数の指定を反映する。
画像出力装置１０１は、設定（設定済の設定、設定データの参照等）に基づいて、一括ボタン８０６（「全て＋（全て増やす）」）、一括ボタン８０７「全て−（全て減らす）」、一括ボタン８０８「全て０（全てクリア）」の操作指示の対象を全画像データとする場合、表示画像データ８０４のみならず全画像データ８０３に対して一括ボタン８０６〜一括ボタン８０８による印刷枚数の指定を反映する。
【００８７】
画像出力装置１０１は、一括ボタン８０６〜一括ボタン８０８による印刷枚数の指定を表示画像データ８０４のみに反映する場合、印刷枚数の変更を画面上で確認することができるので、利用者の誤認を防止することができる。
一方、画像出力装置１０１は、一括ボタン８０６〜一括ボタン８０８による印刷枚数の指定を全画像データ８０３に反映する場合、全画像について印刷枚数を指定するために全ての画像を画面上に表示させる必要がないので、利用者の迅速な操作を実現することができる。
【００８８】
このように、画像出力装置１０１は、管理者、設置者、運用者、利用者等の希望、システム環境等に応じて、一括ボタンの操作指示の対象の設定を行うことができるので、画像出力装置１０１の運用の自由度を高めると共に操作性を向上させることができる。
【００８９】
次に、図９を参照しながら、設定項目４１３「税率」、設定項目４１４「課税方式」、設定項目４１５「税金額表示」に係る、画像出力装置１０１の動作について説明する。
図９は、設定項目４１３「税率」、設定項目４１４「課税方式」、設定項目４１５「税金額表示」に係る、画像出力装置１０１の処理の流れを示す図である。
【００９０】
画像出力装置１０１は、設定（設定済の設定、設定データの参照等）に基づいて、画面９０１（画像印刷・印刷枚数指定画面）に利用者の注文内容９０２を表示する。
図９の注文内容９０２の表示は、設定項目４１３「税率」＝「５％」、設定項目４１４「課税方式」＝「外税」、設定項目４１５「税金額表示」＝「画面表示する」、の場合のものである。利用者は、この注文内容９０２の表示により税金額、課税方式、税率等を確認することができる。
【００９１】
このように、画像出力装置１０１は、管理者、設置者、運用者、利用者等の希望、システム環境等に応じて、税金表示、税金計算等の設定を行うことができるので、画像出力装置１０１の運用の自由度を高めると共に操作性を向上させることができる。
【００９２】
次に、図１０〜図１５を参照しながら、画像加工処理（図６：ステップ６０３）における、画像出力装置１０１の動作について説明する。
【００９３】
図１０は、画像加工処理における、画像出力装置１０１の動作を示すフローチャートである。
図１１は、画像出力装置１０１が表示する画像加工画面１１０１の一態様を示す図である。
【００９４】
画像出力装置１０１（制御部３０１）は、モニタ上に画像加工画面１１０１を表示する（ステップ１００１）。画像加工画面１１０１には、印刷領域、プリント領域を示す枠１１０２、加工画像１１０３、原画像１１０４、操作指示を行うためのボタン類１１０５、色彩、模様、ペンの太さ等を指定するためのパレット１１０６、拡大縮小ボタン１１０７、移動ボタン１１０８、回転ボタン１１０９、中心設定ボタン１１１０等が表示される。
【００９５】
画像出力装置１０１は、利用者の指示に基づいて、画像の拡大・縮小、移動、回転、反転、合成、編集等を行って枠１１０２と共に表示する（ステップ１００２）。利用者は、上記加工画面１１０１において原画像の加工を行い、印刷、プリントする。尚、枠外にはみ出した加工画像の部分に関しては、これを表示しないようにしてもよいし、表示するようにしてもよい。
【００９６】
図１２は、画像の移動処理の流れを示す図である。
画像出力装置１０１は、移動の際に原画像１２０１が枠１２０２からはみ出しても、画像の縁ぎりぎりまで画像を移動させることができる。
図１３は、画像の回転処理の流れを示す図である。
画像出力装置１０１は、原画像１３０１を画像中心１３０５を中心（原点）に回転（９０度右回転等）させたり（ステップ１３０３）、画像の隅（左上頂点１３０６等）を中心に回転させたりして（ステップ１３０４）、枠１３０２と共に表示することができる。
【００９７】
図１４は、画像の拡大縮小処理の流れを示す図である。
画像出力装置１０１は、原画像１４０１を画像中心１４０５を原点に拡大縮小させたり（ステップ１４０３）、画像の隅（左上頂点１４０６等）を原点に拡大縮小させたりして（ステップ１４０４）、枠１４０２と共に表示することができる。
【００９８】
図１５は、画像全体が枠から完全にはみだした場合の処理の流れを示す図である。
画像出力装置１０１は、原画像１５０１に処理（回転等）を行い（ステップ１５０３）、画像全体が枠１５０２から完全にはみ出した場合、自動的に画像を枠位置まで自動的に移動させる（ステップ１５０４）。図１５に示すように例えば、画像出力装置１０１は、、はみ出し画像１５０５を枠１５０２の縁と画像の縁が外接する位置まで自動的に移動させる。
【００９９】
このように、画像出力装置は、移動の際に画像が枠からはみ出ても縁ぎりぎりまで移動することができ、回転・反転の中心、基準等を設定可能であり（例えば、画像中心、左上、各辺、任意の点）、拡大・縮小の原点を設定可能であり（例えば、画像中心、左上、任意の点）、回転・反転・縮小等の結果、枠から画像全体がはみ出る場合、画像を枠位置まで自動的に移動させることができるので、画像編集処理、合成処理、加工処理における、画像操作画面の操作性を向上させることができる。
【０１００】
以上説明したように、本発明の実施の形態によれば、画像出力装置は、管理者、設置者、運用者、利用者等の希望、システム環境等に応じて、各種設定を行うことができるので、画像出力装置の運用の自由度を高めると共に操作性を向上させることができる。また、画像出力装置は、画像の編集処理、合成処理、加工処理において、画像の移動、回転、反転、拡大・縮小等に係る詳細な設定を行うことができるので、画像操作画面の操作性を向上させることができる。
【０１０１】
尚、画像出力装置は、画像データ一覧を画像データファイル内の簡易画像データ（サムネイル画像データ、縮小画像データ）に基づいて表示し、詳細画像を画像データファイル内の詳細画像データ（通常の画像データ、実画像データ等）に基づいて表示するようにしてもよい。この場合、画像データファイルのフォーマット形式としては、例えば、簡易画像データ及び実画像データを１ファイルに保持するＥＸＩＦ形式等を用いることができる。
【０１０２】
また、図５〜図１５等に示す処理を行うプログラムをＣＤ−ＲＯＭ等の記録媒体に保持させて流通させてもよいし、このプログラムを通信回線を介して送受することもできる。
【０１０３】
以上、添付図面を参照しながら、本発明にかかる画像出力装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【０１０４】
【図１】画像出力装置プリントシステム１００（画像出力装置１０１）の構成を示すブロック図
【図２】画像出力装置１０１の外観斜視図
【図３】画像出力装置１０１のハードウェア構成図
【図４】設定データ４００の一態様を示す図
【図５】設定処理に係る画像出力装置１０１、端末装置１０２の動作を示すフローチャート
【図６】画像出力装置１０１の動作を示すフローチャート
【図７】設定項目４１１「ＥＸＩＦ情報の利用」に係る、画像出力装置１０１の処理の流れを示す図
【図８】設定項目４１２「一括ボタンの操作指示の対象」に係る、画像出力装置１０１の処理の流れを示す図
【図９】設定項目４１３「税率」、設定項目４１４「課税方式」、設定項目４１５「税金額表示」に係る、画像出力装置１０１の処理の流れを示す図
【図１０】画像加工処理における、画像出力装置１０１の動作を示すフローチャート
【図１１】画像出力装置１０１が表示する画像加工画面１１０１の一態様を示す図
【図１２】画像の移動処理の流れを示す図
【図１３】画像の回転処理の流れを示す図
【図１４】画像の拡大縮小処理の流れを示す図
【図１５】画像全体が枠から完全にはみだした場合の処理の流れを示す図
【符号の説明】
【０１０５】
１００………画像プリントシステム
１０１………画像出力装置
１１１………画像データ読込書込手段
１１２………画像編集合成手段
１１３………素材データベース
１１４………プリント手段
１１５………注文内容入力手段
１１６………課金手段
１１７………設定手段
２０１………モニタ画面
２０２………メディア挿入口
３０１………制御部
３０２………記憶部
３０６………各種メディア読取書込部（１〜ｎ）
３０７………モニタ
４００………設定データ
７０５………ＥＸＩＦ情報
８０６、８０７、８０８………一括ボタン
９０２………注文内容
１１０１………画像加工画面
１１０２………枠
１１０３………加工画像
【図１】
2005100147.tif 000003
【図２】
2005100147.tif 000004
【図３】
2005100147.tif 000005
【図４】
2005100147.tif 000006
【図５】
2005100147.tif 000007
【図６】
2005100147.tif 000008
【図７】
2005100147.tif 000009
【図８】
2005100147.tif 000010
【図９】
2005100147.tif 000011
【図１０】
2005100147.tif 000012
【図１１】
2005100147.tif 000013
【図１２】
2005100147.tif 000014
【図１３】
2005100147.tif 000015
【図１４】
2005100147.tif 000016
【図１５】
2005100147.tif 000017